(57)【要約】【課題】ダイヤフラムの中央部のたるみを防止し、電磁石と振動子と対向面の空隙の安定化を図り、振動子の偏りや傾き防止し、ひいてはコスト低減と、ポンプ性能の安定化を実現することである。【解決手段】電磁部と振動子とダイヤフラムとを備え、該ダイヤフラムの両側面を狭持板で保持されたダイヤフラムポンプに用いられるダイヤフラムの中央保持組立体であって、該ダイヤフラムの中央部に、前記狭持板を嵌合させて固定するための貫通口が設けられ、該貫通口の外周方向に前記ダイヤフラムと一体的に形成された１または２以上の弁が設けられ、前記狭持板と前記弁には相対向した通気口が配設され、前記狭持板の片方において、ダイヤフラム側を弁座として機能させる弁体が画定され、当該弁体が流体の吸引弁または排出弁として機能することを特徴としている。【選択図】図５
2008150959.tif 000002
【特許請求の範囲】
【請求項１】
電磁部と振動子とダイヤフラムとを備え、
該ダイヤフラムの両側面を狭持板で保持されたダイヤフラムポンプに用いられるダイヤフラムの中央保持組立体であって、
該ダイヤフラムの中央部に、前記狭持板を嵌合させて固定するための貫通口が設けられ、
該貫通口の外周方向に前記ダイヤフラムと一体的に形成された１または２以上の弁が設けられ、
前記狭持板と前記弁には相対向した通気口が配設され、
前記狭持板の片方において、ダイヤフラム側を弁座として機能させる弁体が画定され、
当該弁体が流体の吸引弁または排出弁として機能する
ことを特徴とするダイヤフラムの中央保持組立体。
【請求項２】
前記ダイヤフラムの中央部を挟んで両側から、凹凸が形成された前記狭持板を嵌合することによって前記振動子が定位置に固定されるダイヤフラムの中央保持組立体。
【請求項３】
前記狭持板の貫通口の周辺に前記１または２以上の弁の動きを規制するリミッタが設けられてなる請求項１または２記載のダイヤフラムの中央保持組立体。
【発明の詳細な説明】
【技術分野】
【０００１】
本発明は電磁式ダイヤフラムポンプの中央保持組立体に関する。さらに詳しくは、主として家庭用浄化槽の曝気用、養魚用水槽の酸素補給用、泡風呂のエア噴気用に利用される電磁振動型エアポンプのダイヤフラムの中央部保持機構とその弁体（弁と弁座）に関する。しかしながら、本発明のダイヤフラムの中央保持組立体は、係る特定のタイプのエアポンプ（電磁振動型エアポンプ）への適用に限定されるものではなく、一般のエアポンプにも適用することが可能である。
【背景技術】
【０００２】
従来技術にかかるポンプとして図６に示される電磁式エアポンプが開示されている（例えば、特許文献１参照）。この電磁式エアポンプ１（図６〜８参照）は筐体状の電磁石ケース３１と、該電磁石ケースの中に対向するように配置された一対の電磁石２１、２５と、該一対の電磁石の対向面の間に介在され電磁石の極性変化に伴い、電磁石の対向方向に対して直角方向に往復運動する振動子３０と該振動子の両端部に対向するように配置された一対の弾性を有するダイヤフラム４０と、該ダイヤフラムを電磁石ケースに押し付けるように配置された弁ケース本体５０とを有する電磁式ダイヤフラムポンプであって、前記ダイヤフラムの中央部には、センタープレート７０、８０が配置され、当該センタープレートは振動子と固定されると共に、弁機能を有するように吸入弁１２０が取り付けられており、前記弁ケース本体には弁機能を有するように吐出弁が取り付けられた構成になっている。
【０００３】
【特許文献１】特開２０００−１４５６４５号公報
【発明の開示】
【発明が解決しようとする課題】
【０００４】
叙上の特許文献１に記載された電磁式ダイヤフラムポンプ（図６参照）のダイヤフラムとセンタープレートとの中央部の狭持や固定方法では、この種の振動子は一般的に平板形状を成しており、電磁石の対向面の空隙部に配置されて、両端部のダイヤフラムの中央部に固定されている。そして、各電磁石と振動子の対向面との空隙（エアギャップ）が均等にならず、どちらかの電磁石の対向面側に配置される。また、振動子と電磁石の対向面とを並行に保持することができず、組立て作業時や実働運転中に振動子が偏ったり、傾いたりして、電磁石と振動子の対向面の一部が接触した状態での稼動運転となり、振動子の磨耗や欠損、破損を惹起する。あるいは振動子の往復運動が直線的にならず、ダイヤフラムが、歪んだ動きで圧縮、排気を繰り返すため、ダイヤフラムの破損によりポンプの性能低下や製品の寿命が短くなる原因になっている。また、叙上の特許文献１に記載された電磁式ダイヤフラムポンプ（図６参照）、図７〜８の弁は傘形やリング形で、既に公知の形状である。それらの弁が一対のセンタープレートの片方に取り付けられているため、弁取付け作業等のコスト低減には至らない。
【０００５】
本発明は、ダイヤフラムの中央部のたるみを防止し、電磁石と振動子と対向面の空隙の安定化を図り、振動子の偏りや傾き防止し、ひいてはコスト低減と、ポンプ性能の安定化を実現することを目的とするものである。
【課題を解決するための手段】
【０００６】
本発明に係るダイヤフラムの中央保持組立体は、電磁部と振動子とダイヤフラムとを備え、
該ダイヤフラムの両側面を狭持板で保持されたダイヤフラムポンプに用いられるダイヤフラムの中央保持組立体であって、
該ダイヤフラムの中央部に、前記狭持板を嵌合させて固定するための貫通口が設けられ、
該貫通口の外周方向に前記ダイヤフラムと一体的に形成された１または２以上の弁が設けられ、
前記狭持板と前記弁には相対向した通気口が配設され、
前記狭持板の片方において、ダイヤフラム側を弁座として機能させる弁体が画定され、
当該弁体が流体の吸引弁または排出弁として機能する
ことを特徴としている。
【０００７】
また、前記ダイヤフラムの中央部を挟んで両側から、凹凸が形成された前記狭持板を嵌合することによって前記振動子が定位置に固定されることが好ましい。
【０００８】
また、前記狭持板の貫通口の周辺に前記１または２以上の弁の動きを規制するリミッタが設けられてなることが好ましい。
【発明の効果】
【０００９】
本発明のダイヤフラムの中央保持組立体によれば、ダイヤフラムの中央部のたるみを防止し、電磁石と振動子と対向面の空隙の安定化することができ、振動子の偏りや傾き防止し、ひいてはコスト低減と、ポンプ性能の安定化を実現することができる。
【発明を実施するための最良の形態】
【００１０】
本実施の形態の電磁式ダイヤフラムポンプの中央保持組立体について添付図面を参照しつつ、以下に詳細に説明する。
【００１１】
図１は本発明の一実施の形態にかかるダイヤフラムの中央保持組立体が適用された電磁式ダイヤフラムポンプを示す上面説明図、図２の（ａ）および（ｂ）は、それぞれ本発明のダイヤフラムの中央保持組立体の表側および裏側を示す平面説明図、図３の（ａ）および（ｂ）は、それぞれ本発明のダイヤフラムの中央保持組立体の電磁石側の狭持板を示す平面図および断面説明図、図４の（ａ）および（ｂ）は、それぞれ本発明のダイヤフラムの中央保持組立体のケーシング側の狭持板を示す平面図および断面説明図、図５は本発明のダイヤフラムの中央保持組立体を示す断面説明図である。
【００１２】
本実施の形態の電磁式ダイヤフラムポンプ１のダイヤフラム４の中央保持組立体（図１〜５参照）は電磁石２と対向面の空隙部に永久磁石を固定した振動子３を配置している。ダイヤフラム４の材質としては、例えば天然または合成ゴムなどのエラストメリックな材料であれば特定のものに限定されることはない。そして、当該振動子３の両端には、ダイヤフラム４の中央保持部５の弁部９と狭持板６、７の通気口１１、１１が相対向し、かつ連通するように前記ダイヤフラム４の中央保持部５を挟んで両側から、前記狭持板６の嵌合突起１３（図３参照）を狭持板７の嵌合穴１４（図４参照）に圧入することによって、接合されたのち、振動子保持部１５に保持させ、貫通口１２、１２を介してネジ、ナットなどの締結部品で固定されている。本実施の形態の場合、図５に示された前記狭持板６の振動子保持部１５が電磁石側に画定され、ダイヤフラム４側に弁座Ｂが確定されるように構成されている。
【００１３】
狭持板６、７の材質としては、とくに限定されないが、合成樹脂のほか金属、金属と合成樹脂とを組み合わせたものが採用される。そして、金属、金属と合成樹脂とを組み合わせたものを採用すると、採用狭持板６、７自体にバランサとしての機能を持たせることができるため、好ましい。
【００１４】
また、図４を参照すると、狭持板７のほぼ中央に設けられた貫通口の周辺に部分円周状の突起Ｌが設けられており、この突起Ｌがダイヤフラム４に設けられた弁部９の動きを規制するリミッタとして機能するため、閉弁時図５に示されるように、弁部９が突起Ｌと当接し、弁部９の開閉オーバーラップ期間の減少に寄与し、ポンプの効率が上昇する。
【００１５】
また、本実施の形態のダイヤフラムの中央保持機構の場合、ダイヤフラム４の中央部には４つの弁９の間に凸部Ａが設けられ、狭持板６、７には凹部Ｃが設けられており、ダイヤフラム４の凸部Ａと狭持板６、７の凹部Ｂとが相嵌合するため、振動子を定位置に保持することができる。図２には、ダイヤフラム４の中央部に４つの弁部が形成されているが、かかる構成に限られることはなく、１つの弁部を設けることも、２、３または５以上設けることも可能である。
【００１６】
そして、本実施の形態のダイヤフラムの中央保持機構は、かかる構成により、従来の振動子の偏りや傾きの発生により電磁石への異常接触しやすい構造とはまったく異なるのである。
【図面の簡単な説明】
【００１７】
【図１】本発明のダイヤフラムの中央保持機構とその弁体の実施一例を示す平面説明図である。
【図２】本発明のダイヤフラムの中央保持機構とその弁の一例を示す平面説明図である。
【図３】本発明のダイヤフラムの中央保持機構の狭持板の一例を示す平面説明図である。
【図４】本発明のダイヤフラムの中央保持機構の狭持板の一例を示す平面説明図である。
【図５】本発明のダイヤフラムの中央保持機構とその弁の一例を示す断面説明図である。
【図６】従来の電磁式ダイヤフラムポンプの一例を示す説明図である。
【図７】従来の電磁式ダイヤフラムポンプの弁の一例を示す説明図である。
【図８】従来の電磁式ダイヤフラムポンプの弁体の一例を示す説明図である。
【符号の説明】
【００１８】
１  ダイヤフラムポンプ
２  電磁部（電磁石）
３  振動子
４  ダイヤフラム
５  中央保持部
６  電磁石側狭持板
７  ケーシング側狭持板
８  ケーシング
９  弁（吸入弁）
１０  吐出弁
１１  貫通口
１２  通気口
１３  嵌合突起
１４  嵌合穴
１５  振動子保持部
Ａ  ダイヤフラムの位置決め凸部
Ｂ  狭持板の弁座部
Ｃ  狭持板の位置決め凹部
【図１】
2008150959.tif 000003
【図２】
2008150959.tif 000004
【図３】
2008150959.tif 000005
【図４】
2008150959.tif 000006
【図５】
2008150959.tif 000007
【図６】
2008150959.tif 000008
【図７】
2008150959.tif 000009
【図８】
2008150959.tif 000010